(57)【要約】【課題】  上方に開操作でき、且つ開状態でロックできる扉板を備えても、蝶番部に別途部材の組み付け等を必要としない分電盤ハウジングを提供する。【解決手段】  ハウジング本体２の前面に配置された前面板３に設けられている開口部３１を閉塞する扉板４を有し、扉板４の上端が開閉可能に前面板３に蝶着されている。扉板４には、前面板３に蝶着するための回転軸５が一体に形成され、対応する前面板３には回転軸５を軸止する軸止部６が一体に設けられている。回転軸５の所定の側面に突起５ｃが設けられている一方、前面板３の軸止部６には、扉板４が開操作を受けて上方へ回動した際に突起５ｃが乗り越えた状態で係止し、扉板４の閉動作を阻止する係止突起６ｃが設けられている。【選択図】  図３
2019221056.tif 000002
【特許請求の範囲】
【請求項１】
ハウジングの前面に設けられた開口部を閉塞する扉板を有し、前記扉板は開閉可能に前記ハウジングに上部が蝶着されて成る分電盤ハウジングであって、
前記扉板には、前記ハウジングに蝶着するための回転軸が一体に形成される一方、
ハウジングには、前記回転軸を軸止する軸穴を備えた軸止部が一体に設けられ、
更に、前記回転軸の所定の側面に突起が設けられていると共に、前記軸止部には、前記扉板が開操作を受けて上方へ回動した際に前記突起が乗り越えた状態で係止し、前記扉板の閉動作を阻止する係止突起が設けられて成ることを特徴とする分電盤ハウジング。
【請求項２】
前記ハウジングは、前面が開放された箱状のハウジング本体と、前記開口部を有して前記開放された前面を閉塞する前面板とを有し、
前記軸止部は、前記前面板の背面に形成されて成ることを特徴とする請求項１記載の分電盤ハウジング。
【請求項３】
前記前面板には、前方から挿入された前記回転軸を前記軸止部へ案内する案内部が設けられていることを特徴とする請求項２記載の分電盤ハウジング。
【請求項４】
前記前面板は、前記軸止部の直下に前記回転軸を前方から挿入する挿入口を有し、前記案内部は、前記挿入口の奥部に形成された円弧状の案内路であり、
前方から挿入された前記回転軸が、前記案内路により直上の前記軸止部に案内されることを特徴とする請求項３記載の分電盤ハウジング。
【発明の詳細な説明】
【技術分野】
【０００１】
本発明は、ブレーカ等を収納する分電盤のハウジングに関し、特に前面に扉板を備えた分電盤ハウジングに関する。
【背景技術】
【０００２】
主幹ブレーカや分岐ブレーカ等の多数のブレーカを収容する分電盤ハウジングは、ブレーカの操作がし易いようにハウジングから操作ハンドルを露出させているものが多い。このような分電盤ハウジングは、ブレーカの周囲に配設されている充電部や電線に塵等が付着して漏電等発生しないように閉塞する必要があるため、操作ハンドルのみ露出させるための開口部をハウジング前面に設けている。
【０００３】
このように前面に開口部を設けた分電盤のハウジングは、ハウジング内に埃等が入らないようにするために、また外観上も考慮して操作ハンドルも別途隠れるよう扉を設けて、操作ハンドルを含む開口部全体が閉塞されるよう構成されたものが普及している。
また、この扉は上方に開くよう構成され、扉を設けても壁面の上方に設置された分電盤の操作の妨げにならないよう構成された（例えば、特許文献１参照）。
【０００４】
加えて、上方に開操作されるため、開放された状態が維持されるようにロック機構が蝶番部に設けられ、ハンドル操作をし易いよう構成されている（例えば、特許文献２参照）。
【先行技術文献】
【特許文献】
【０００５】
【特許文献１】特開２０１０−１１５５９号公報
【特許文献２】特開平９−２７１１１２号公報
【発明の概要】
【発明が解決しようとする課題】
【０００６】
上記蝶番部にロック機構が設けられている構造は、扉を開けた状態で手を離しても扉が下がることが無いため点検作業等し易い。しかしながら、このような蝶番は軸やカム部材等の金属から成る部材が扉及びハウジングに組み付けられて形成されるため、コスト高な構造となっていた。
【０００７】
そこで、本発明はこのような問題点に鑑み、上方に開操作でき、且つ開状態でロックできる扉板を備えても、蝶番部に別途部材の組み付け等を必要としない分電盤ハウジングを提供することを目的としている。
【課題を解決するための手段】
【０００８】
上記課題を解決する為に、請求項１の発明は、ハウジングの前面に設けられた開口部を閉塞する扉板を有し、扉板は開閉可能にハウジングに上部が蝶着されて成る分電盤ハウジングであって、扉板には、ハウジングに蝶着するための回転軸が一体に形成される一方、ハウジングには、回転軸を軸止する軸穴を備えた軸止部が一体に設けられ、更に、回転軸の所定の側面に突起が設けられていると共に、軸止部には、扉板が開操作を受けて上方へ回動した際に突起が乗り越えた状態で係止し、扉板の閉動作を阻止する係止突起が設けられて成ることを特徴とする。
この構成によれば、扉板をハウジングに蝶着するための部材は、扉板とハウジングとのそれぞれに一体形成されているため、別途蝶番を形成する部材が必要なく、安価に構成できる。加えて、開状態にある扉板は、その状態が保持されるので別途保持手段を組み付ける必要がない。
【０００９】
請求項２の発明は、請求項１に記載の構成において、ハウジングは、前面が開放された箱状のハウジング本体と、開口部を有して開放された前面を閉塞する前面板とを有し、軸止部は、前面板の背面に形成されて成ることを特徴とする。
この構成によれば、軸止部は、前面板に一体形成されても前面板の背部に形成されているため、前方からは隠れることで外観上好ましい。
【００１０】
請求項３の発明は、請求項２に記載の構成において、前面板には、前方から挿入された回転軸を軸止部へ案内する案内部が設けられていることを特徴とする。
この構成によれば、軸止部が前面板の背部に形成されても、回転軸は案内部により案内されるため、扉板を容易に取り付けできる。
【００１１】
請求項４の発明は、請求項３に記載の構成において、前面板は、軸止部の直下に回転軸を前方から挿入する挿入口を有し、案内部は、挿入口の奥部に形成された円弧状の案内路であり、前方から挿入された回転軸が、案内路により直上の軸止部に案内されることを特徴とする。
この構成によれば、挿入口に挿入された回転軸は、円弧状の案内路に案内されて直上の軸止部に移動するため、容易に回転軸を軸止させることが可能であり、扉板を容易に取り付けできる。
【発明の効果】
【００１２】
本発明によれば、扉板をハウジング本体に蝶着するための部材は、扉板とハウジング本体とのそれぞれに一体形成されているため、別途蝶番部材が必要なく、安価に構成できる。加えて、開状態にある扉板は、その状態が保持されるので別途保持手段を組み付ける必要がない。
【図面の簡単な説明】
【００１３】
【図１】本発明に係る分電盤ハウジングの一例を示す斜視図であり、（ａ）は扉板を閉じた状態、（ｂ）は扉板を開いた状態を示している。
【図２】扉板を開いた状態の前面板の正面図である。
【図３】図２のＡ−Ａ線断面を示し、（ａ）は全体図、（ｂ）はＢ部拡大図である。
【図４】扉板を閉じた状態のＡ−Ａ線断面を示し、（ａ）は全体図、（ｂ）はＣ部拡大図である。
【図５】扉板と前面板を分離した斜視説明図であり、（ａ）前面板、（ｂ）は扉板である。
【図６】図５のＤ部拡大図である。
【図７】前面板の背面視斜視図である。
【図８】図７のＥ部拡大図である。
【図９】扉板を前面板に取り付ける説明図であり、（ａ）は取り付け直前の状態、（ｂ）はＦ部拡大図である。
【図１０】扉板を前面板に取り付ける説明図であり、（ａ）は回転軸を軸穴の直前に配置した前面板の背面図、（ｂ）はＧ部拡大図である。
【図１１】扉板の取り付けが完了した説明図であり、（ａ）は回転軸を軸穴に挿入した前面板の背面図、（ｂ）はＨ部拡大図である。
【発明を実施するための形態】
【００１４】
以下、本発明を具体化した実施の形態を、図面を参照して詳細に説明する。図１は本発明に係る分電盤ハウジングの一例を示す斜視図であり、（ａ）は扉板を閉じた状態、（ｂ）は扉板を開いた状態を示している。また、図２は扉板を開いた状態の分電盤ハウジングの正面図を示している。
分電盤ハウジングとしてのハウジング１は、背面及び周囲側面を有して前面が開放された箱状のハウジング本体２と、ハウジング本体２の前面に配置されてハウジング本体２の開放された前面を閉塞する前面板３とを有し、前面板３には上端が蝶着されて開閉操作が可能な扉板４が設けられている。
【００１５】
ブレーカ等の分電盤機器はハウジング本体２に組み付けられ、側面である天面等にはノックアウト２１が設けられ、内部に収容されたブレーカ等に接続する電線を入出する穴を形成可能としている。
また、前面板３は中央に一段落とし込んだ凹状エリア３２を有し、この凹状エリア３２にはハウジング本体２に収容されたブレーカの操作ハンドル（図示せず）を露出させるための開口部３１が形成されている。凹状エリア３２は開口部３１から露出させた操作ハンドルの収容空間を形成している。そして、扉板４はこの開口部３１を含め、凹状エリア３２を閉塞するよう設けられている。
【００１６】
そして、図３，４は図２のＡ−Ａ線断面を示している。但し、図３は図２と同様に扉板４を開いた状態を示し、図３（ａ）は全体図、図３（ｂ）はＢ部拡大図である。図４は扉板４を閉じた状態を示し、図４（ａ）は全体図、図４（ｂ）はＣ部拡大図である。
更に、図５〜８は前面板３と扉板４の連結構造、即ち蝶番構造の説明図であり、図５は前面板３と扉板４を分離した全体説明図、図６は図５のＤ部拡大図、図７は前面板３の背面視斜視図、図８は図７のＥ部拡大図をそれぞれ示している。
図３，４に示すように、扉板４は上端の左右２カ所が前面板３に蝶着され、図５に示すように、扉板４に蝶番部の一方を成す回転軸５が形成されている。図６はこの回転軸５の拡大図を示している。また、図７に示すように、前面板３の背部に蝶番部の他方を構成する軸止部６が形成されている。図８はこの軸止部６の拡大図を示している。
【００１７】
以下、蝶番部を具体的に説明する。
回転軸５は、扉板４の回動方向に直交する左右方向に配置されて蝶着軸を成している。そして、図６に示すように、前面板３の軸止部６に連結される連結軸５ａを端部に有している。また、連結軸５ａと同一軸上に連続して一体形成されて、連結軸５ａを補強する延長軸５ｂを有している。この延長軸５ｂの側面の特定部位には後述する係止突起６ｃが係止する突起５ｃが形成されている。
そして、図６に示すように連結部材７を介して扉板４に連結され、扉板４と一体に形成される。この連結部材７は、図３、４の断面図に示すように、扉板４の背面から上方に向けてＵ字状の外形を有して形成されており、回転軸５が前面板３の背部に入り込み易いよう形成されている。
【００１８】
軸止部６は、図８に示すように前面板３の背面に形成されており、回転軸５を収容する箱状の収容部６ａを有している。この収容部６ａの側面には、連結軸５ａを挿入して軸止する軸穴６ｂが設けられ、回転軸５の側面に対峙する内壁には、回転軸５に設けられている突起５ｃが係止する係止突起６ｃが形成されている。
【００１９】
一方、軸止部６の直下に位置する前面板３の前面には、図５に示すように回転軸５を挿入するための挿入口３３が形成され、この挿入口３３の奥部から軸止部６に向けて、挿入された回転軸５を案内する案内路８が形成されている。案内路８は、図７に示すように円弧状に形成され、挿入された回転軸５を上方の軸止部６に案内するよう形成されている。
特に、Ｕ字状に形成された連結部材７の作用で、挿入口３３に挿入された回転軸５は、案内路８に案内されてスムーズに軸止部６まで移動できる。
こうして、軸止部６の収容部６ａに回転軸５が配置され、配置された回転軸５の連結軸５ａを軸穴６ｂに挿入すれば蝶番軸が形成され、扉板４は開閉自在に前面板３に連結される。
【００２０】
図９〜１１は扉板４の取り付け操作の流れを示す説明図であり、この図を参照して具体的に手順を説明する。図９は扉板４の回転軸５を前面板３の挿入口３３に挿入する説明図であり、図９（ａ）は前面板３と扉板４の全体図、図９（ｂ）はＦ部拡大図である。図１０は回転軸５を軸穴６ｂの直前に配置した前面板３の背面図であり、図１０（ａ）は全体図、図１０（ｂ）はＧ部拡大図である。図１１は扉板４の取り付けが完了した前面板３の背面図であり、図１１（ａ）は全体図、図１１（ｂ）はＨ部拡大図である。
【００２１】
扉板４の取り付けは、まず扉板４を略水平にして図９に示すように回転軸５を挿入口３３に挿入する。尚、図９は説明の都合で扉板４の角度を浅くしてある。
挿入したら、開口部３１を閉塞する位置まで扉板４を略９０度回動して、回転軸５を挿入口３３の内部で上方に移動させる。この操作で、円弧状の案内路８にＵ字形状の連結部材７が係合して移動し、回転軸５は前面板３の背部に移動する。この移動した状態が図１０に示す状態であり、この移動により回転軸５の端部に形成されている連結軸５ａが軸穴６ｂの近傍に配置される。
【００２２】
この図１０に示す状態では、回転軸５のほぼ軸線上に軸穴６ｂが配置されており、連結軸５ａの右前方に軸穴６ｂは位置し、扉板４を右にスライドすれば、連結軸５ａが軸穴６ｂに挿入されて扉板４は蝶着され、図１１に示す状態となる。尚、図１１では、背面から前面板３を見ているため、扉板４は左にスライドされる。
こうして、左右の回転軸５は同時に軸止部６に連結され、扉板４の取り付け（蝶着）は完了となる。
【００２３】
そして、図３に示すように、蝶着後は扉板４を開操作してほぼ水平になる角度まで回動させると、途中で回転軸５の突起５ｃが軸止部６の係止突起６ｃを越えて移動し、突起５ｃは上方から係止突起６ｃに係止するよう作用する。
この結果、扉板４が自重で下方に回動しようとした際、下方への回動が阻止される。即ち、ほぼ水平な状態にある扉板４は閉動作が阻止されてその角度が維持される。この状態から扉板４を閉じる際は、作業者等の押下操作により扉板４を下方に回動させれば、係止が外れて閉じることができる。
【００２４】
このように、扉板４をハウジングを構成する前面板３に蝶着するための部材は、扉板４と前面板３とのそれぞれに一体形成されているため、別途蝶番を形成する部材が必要なく、安価に構成できる。加えて、開状態にある扉板４は、その状態が保持されるので別途保持手段を組み付ける必要がない。
また、軸止部６は、前面板３に一体形成されても前面板３の背部に形成されているため、前方からは隠れるため外観上好ましい。
更に、軸止部６が前面板３の背部に形成されても、回転軸５は案内路８により案内されるため、扉板４を容易に取り付けできる。
加えて、挿入口３３に挿入された回転軸５は、円弧状の案内路８に案内されて直上の軸止部６に移動するため、容易に回転軸５を軸止させることが可能であり、扉板４を容易に取り付けできる。
【００２５】
尚、上記実施形態では、ハウジング１を前面が開放された箱状のハウジング本体２と、この開放された前面を閉塞する前面板３とで構成し、機器を組み付ける部位を箱状に形成しているが、機器を組み付ける部位を板状に形成して前側に配置されて扉板４が取り付けられる部材を箱状に形成しても良い。
【産業上の利用可能性】
【００２６】
上記実施形態は、主に分岐回路を形成するためのブレーカを収納する分電盤について説明したが、情報機器を収納する情報分電盤にも適用できるものである。
【符号の説明】
【００２７】
１・・ハウジング、２・・ハウジング本体、３・・前面板、４・・扉板、５・・回転軸、５ａ・・連結軸、５ｃ・・突起、６・・軸止部、６ａ・・収容部、６ｂ・・軸穴、６ｃ・係止突起、７・・連結部材、８・・案内路（案内部）、３１・・開口部、３３・・挿入口。
【図１】
2019221056.tif 000003
【図２】
2019221056.tif 000004
【図３】
2019221056.tif 000005
【図４】
2019221056.tif 000006
【図５】
2019221056.tif 000007
【図６】
2019221056.tif 000008
【図７】
2019221056.tif 000009
【図８】
2019221056.tif 000010
【図９】
2019221056.tif 000011
【図１０】
2019221056.tif 000012
【図１１】
2019221056.tif 000013